(57)【要約】  同じベースステーションの異なるセクターから送信されたパイロットシンボルが、同じセル特異的スクランブリングコード、並びに、低いクロス相関を有する第一のコードおよび低いクロス層間を有する第二のコードを用いて増大される。第二のコードは、第一のコードの長さに亘って一定であるが、第一のコードの反復については変化されてよい。【選択図】    図５
2009514447.tif 000002
【特許請求の範囲】
【請求項１】
無線通信装置であって：
第一の長さの低い相互クロス相関を有する第一のシーケンス群のうちの少なくとも一つの第一のシーケンス、および前記第一の長さとは異なる第二の長さの低い相互クロス相関を有する第二のシーケンス群のうちの少なくとも二つの第二のシーケンスを保存するように構成されたメモリーと；
前記メモリーに結合された回路であって、前記少なくとも一つの第一のシーケンスおよび前記少なくとも二つの第二のシーケンスを利用して、複数のアンテナ群の各々から送信されるべきパイロットシンボルを増大させるように構成される回路と
を含んでなる装置。
【請求項２】
請求項１に記載の無線通信装置であって、前記メモリーは更に、スクランブルシーケンスを保存するように構成され、また前記プロセッサは更に、前記パイロットシンボルを、前記スクランブルシーケンスを用いて増大させるように構成される装置。
【請求項３】
請求項２に記載の無線通信装置であって、前記スクランブルシーケンスは、第一のスクランブルシーケンスを含んでなる装置。
【請求項４】
請求項１に記載の無線通信装置であって、前記回路はプロセッサを含んでなる装置。
【請求項５】
請求項１に記載の無線通信装置であって、前記回路は、予め定められたパターンに従って、キャリア周波数で各パイロットシンボルを変調するように構成される装置。
【請求項６】
請求項５に記載の無線通信装置であって、前記予め定められたパターンが、各アンテナ群について同じである装置。
【請求項７】
請求項６に記載の無線通信装置であって、前記回路は、経時的に前記予め定められたパターンを変化させるように構成される装置。
【請求項８】
請求項１に記載の無線通信装置であって、各アンテナ群は、ベースステーションの異なるセクターに対応する装置。
【請求項９】
請求項１に記載の無線通信装置であって、前記第一のシーケンスがウォルシュコードである装置。
【請求項１０】
請求項１に記載の無線通信装置であって、前記第一のシーケンス群が直交コードである装置。
【請求項１１】
請求項１に記載の無線通信装置であって、前記第二のシーケンス群がＰＮシーケンスである装置。
【請求項１２】
請求項１に記載の無線通信装置であって、前記第二のシーケンス群が指数コードである装置。
【請求項１３】
パイロットシンボルを送信する方法であって：
低い相互クロス相関を有する第一のシーケンス群の一つの第一のシーケンス、および前記低い相互クロス相関を有する第二のシーケンス群の少なくとも二つの第二のシーケンスを利用して、第一のアンテナ群のための第一のパイロットシンボルを増大させることと；
第一のシーケンス群の第三のシース、および第二のシーケンス群の少なくとも二つの第四のシーケンスを利用して、第二のアンテナ群のための第二のパイロットシンボルを増大させることと；
前記第一のパイロットシンボルを前記第一のアンテナ群から送信することと；
第二のパイロットシンボルを前記第二のアンテナグ群から送信すること
を含んでなる方法。
【請求項１４】
請求項１３に記載の方法であって：更に、
前記第一のパイロットシンボルおよび前記第二のパイロットシンボルを、スクランブリングシーケンスによって増大させることと；
前記第一のシーケンス群の一つおよび前記第二のシーケンス群の少なくとも二つの第二のシーケンスを利用して、第三のアンテナ群のための第三のパイロットシンボルを増大させることと；
前記第三のパイロットシンボルを、前記第三のアンテナ群から送信すること
を含んでなる方法。
【請求項１５】
請求項１３に記載の方法であって：更に、予め定められたパターンに従うキャリア周波数を用いて、各パイロットシンボルを変調することを含んでなる方法。
【請求項１６】
請求項１５に記載の方法であって、前記予め定められたパターンが、各アンテナ群について同じである方法。
【請求項１７】
請求項１６に記載の方法であって、更に、前記予め定められたパターンを経時的に変化させることを含んでなる方法。
【請求項１８】
請求項１３に記載の方法であって、各アンテナ群が、ベースステーションの異なるセクターに対応する方法。
【請求項１９】
請求項１３に記載の方法であって、前記第一および第三の直交シーケンスがウォルシュコードである方法。
【請求項２０】
請求項１３に記載の方法であって、前記第一のシーケンス群が直交コードである方法。
【請求項２１】
請求項１３に記載の方法であって、前記第二のシーケンス群がＰＮシーケンスである方法。
【請求項２２】
請求項１３に記載の方法であって、前記第二のシーケンス群が指数コードである方法。
【請求項２３】
無線通信装置であって：
低い相互クロス相関を有する第一のシーケンス群の一つの第一のシーケンス、および低い相互クロス相関を有する第二のシーケンス群の少なくとも二つの第二のシーケンスを利用して、第一のアンテナ群のための第一のパイロットシンボルを増大させるための手段と；
第一のシーケンス群の第三のシース、および第二のシーケンス群の少なくとも二つの第四のシーケンスを利用して、第二のアンテナ群のための第二のパイロットシンボルを増大させるための手段と；
前記第一のパイロットシンボルを、第一のアンテナ群から送信するように構成された第一の送信機と；
前記第二のパイロットシンボルを、第二のアンテナ群から送信するように構成された第二の送信機
を含んでなる装置。
【請求項２４】
請求項２３に記載の装置であって：更に、各パイロットシンボルを変調するための手段を含んでなる装置。
【請求項２５】
請求項２３に記載の装置であって：更に、前記予め定められたパターンを経時的に変化させるための手段を含んでなる装置。
【請求項２６】
請求項２３に記載の装置であって、各アンテナ群が、ベースステーションの異なるセクターに対応する装置。
【請求項２７】
請求項２３に記載の装置であって、前記第一および第二のシーケンスがウォルシュコードである装置。
【請求項２８】
請求項２３に記載の装置であって、前記第一のシーケンス群が直交コードである装置。
【請求項２９】
請求項２３に記載の装置であって、前記第二のシーケンス群がＰＮシーケンスである装置。
【請求項３０】
請求項２３に記載の装置であって、前記第一のシーケンス群が指数コードコードである装置。
【請求項３１】
その上に、位置異常のプロセッサにより利用され得る命令を含むプロセッサ読み取り可能な媒体であって：前記命令は、
低い相互クロス相関を有する第一のシーケンス群の一つの第一のシーケンス、および低い相互クロス相関を有する第二のシーケンス群の少なくとも二つの第二のシーケンスを利用して、第一のアンテナ群のための第一のパイロットシンボルを増大させるための命令と；
第一のシーケンス群の第三のシース、および第二のシーケンス群の少なくとも二つの第四のシーケンスを利用して、第二のアンテナ群のための第二のパイロットシンボルを増大させるための命令と；
前記第一のパイロットシンボルを、第一のアンテナ群から送信するための命令と；
前記第二のパイロットシンボルを、第二のアンテナ群から送信するための命令
を含んでなる装置。
【発明の詳細な説明】
【背景】
【０００１】
＜米国特許法第１１９条の下での優先権の主張＞
本出願は、２００５年１０月２７日に提出された「無線通信システムにおけるパイロットシンボル送信」と題する、本願の譲渡人に譲渡された米国仮出願第６０／７３１，１１１号の利益を主張するものであり、該仮出願の内容を本明細書の一部として援用する。
【０００２】
Ｉ．分野
本件文書は、一般には無線通信に関し、特に、無線通信におけるパイロット送信に関する。
【０００３】
ＩＩ．背景
無線通信システムは、シンボルまたは他の情報を送信するために、ベースステーションまたはユーザステーションにおいて複数の送信アンテナを利用してよい。多重送信アンテナの使用は、送信をデコード化する際に使用するために複数バージョンの同じシンボルが利用可能なので、シンボルをデコード化する受信機の能力を改善する。
【０００４】
直交周波数分割多重アクセス（ＯＦＤＭ）システムは、直交周波数分割多重化（ＯＦＤＭ）を使用する。ＯＦＤＭは、全体のシステム帯域幅を複数（Ｎ）の直交周波数サブキャリアに分割するマルチキャリア変調技術である。これらのサブキャリアはまた、トーン、ビン（bins）および周波数チャンネルと称されてもよい。各サブキャリアは、データと共に変調され得るそれぞれのサブチャンネルに関連している。Ｎ個以下の変調シンボルが、各ＯＦＤＭシンボル周期において、Ｎ個の合計サブキャリア上で送られてよい。これらの変調シンボルは、Ｎ点逆高速フーリエ変換（ＩＦＦＴ）を用いて時間ドメインに変換され、Ｎ個の時間ドメインチップまたはサンプルを含む変換されたシンボルを発生させる。
【０００５】
周波数ホッピング通信システムにおいて、データは、「ホップ周期」と称されてもよい異なる時間間隔において、異なる周波数サブキャリア上を送信される。これらの周波数サブキャリアは、直交周波数分割多重化、他のマルチキャリア変調技術、または幾つかの他のコンストラクトによって提供されてよい。周波数ホッピングを用いると、データ送信は、擬ランダムな方法で、サブキャリアからサブキャリアへとホップする。このホッピングは周波数ダイバーシティーを与え、データ送信が、狭帯域緩衝、ジャミング、フェージング等のような有害な通過効果に対してより良好に耐えることを可能にする。
【０００６】
ＯＦＤＭＡシステムは、複数のモバイルステーションを同時にサポートすることができる。周波数ホッピングＯＦＤＭＡシステムにおいて、与えられたモバイルステーションのためのデータ送信は、特定の周波数ホッピング（ＦＨ）シーケンスに関連した「トラヒック」チャンネル上で送られてよい。このＦＨシーケンスは、各ホップ周期におけるデータ送信に使用する特定のサブキャリアを指示する。複数のモバイルステーションのための複数のデータ送信は、異なるＦＨシーケンスに関連する複数のトラヒックチャンネル上で同時に送信されてよい。これらのＦＨシーケンスは、一つのトラヒックチャンネルだけ、従って一つのデータ送信だけが、各ホップ周期において各サブキャリアを使用するように、相互に直交するものとして定義されてよい。直交ＦＨシーケンスを使用することによって、複数のデータ送信は一般に相互に干渉しない一方で、周波数ダイバーシティーの利益を享有する。
【０００７】
送信機と受信機との間の無線チャンネルの正確な推定は、通常、該無線チャンネルを介して送られたデータを回復するために必要とされる。チャンネル推定は、典型的には、送信機からパイロットを送信し、且つ該パイロットを受信機において測定することによって行われる。該パイロット信号は、送信機および受信機の両者によってアプリオリに知られているパイロットシンボルで構成されている。従って、受信機は、受信されたシンボルおよび知られたシンボルに基づいて、チャンネル応答を予測することができる。
【０００８】
コード分割多重アクセス（ＣＤＭＡ）システムは、モバイルユーザが、複数のベースステーションとの間、または一つのベースステーションの複数のセクターとの間で、同じ信号を同時に受信および送信することを可能にするユニバーサル周波数再使用を有する。ＣＤＭＡシステムにおけるソフトハンドオフ、およびソフターハンドオフは、それによってセルの境界（ソフターハンドオフの場合にはセクターの境界）に近いモバイルが、同じ送信された信号を、１以上のベースステーションまたは１つのベースステーションの複数のセクターへと通信する技術である。ソフトハンドオフおよびソフターハンドオフは、従来のハードハンドオフに比較して、向上した通信の質およびより円滑な遷移を提供する。ソフトハンドオフおよびソフターハンドオフは、異なるユーザの送信された信号が同じ時間および周波数アロケーションを占めるので、ＣＤＭＡシステムに固有のものである。異なるユーザは、それぞれの拡散署名に基づいて分離されることができる。
【０００９】
ＴＤＭＡ、ＦＤＭＡおよびＯＦＤＭＡのような直交多重アクセスシステムにおいて、ソフトハンドオフおよびソフターハンドオフをサポートすることは、遥かに困難であり、特別な計画を必要とすることが多い。例えば、ダイバーシティーを提供するために、順方向リンクにおいてセル特異的なスクランブリングコードが使用され、周囲のセルからの干渉をランダム化する。屡々、スクランブリングコードは同じセルにおけるセクター（即ち、ノードＢ）間で異なっている。ダウンリンクにおいて、セクター特異的なスクランブリングコードがＯＦＤＭに基づく無線アクセスに適用されるとき、パイロットチャンネルの変調シンボルはセクター間干渉を受ける。パイロットチャンネルに対するセクター間干渉の影響は、特にハンドオフ中のユーザについて顕著である。しかし、パイロットチャンネルを使用したチャンネル推定は、セクター間干渉のために、１リンク接続の場合に比較して改善されない。従って、特にセクター間ハンドオーバにおけるチャンネル推定の改善が不可欠である。
【００１０】
従って、ＯＦＤＭＡシステムの異なるセクターについて、改善されたチャンネル推定を提供するための効率的なアプローチを見出すことが必要とされている。
【発明の概要】
【００１１】
一定の側面において、無線通信装置は、プロセッサに結合されたメモリーおよび回路を含んでいる。前記メモリーは、第一の長さの低い相互クロス相関を有する第一のシーケンス群の少なくとも一つの第一のシーケンス、および前記第一の長さとは異なる第二の長さの低い相互クロス相関を有する第二のシーケンス群の少なくとも二つの第二のシーケンスを保存するように構成される。前記回路は、前記少なくとも一つの第一のシーケンスおよび前記少なくとも二つの第二のシーケンスを利用して、複数のアンテナ群から送信されるべきパイロットシンボルを増大させるように構成される。
【００１２】
もう一つの側面において、パイロットシンボルを送信する方法は、低い相互クロス相関を有する第一のシーケンス群のうちの一つの第一のシーケンス、および前記低い相互クロス相関を有する第二のシーケンス群のうちの少なくとも二つの第二のシーケンスを利用して、第一のアンテナ群のための第一のパイロットシンボルを増大させることと、第一のシーケンス群の第三のシース、および第二のシーケンス群の少なくとも二つの第四のシーケンスを利用して、第二のアンテナ群のための第二のパイロットシンボルを増大させることとを含んでなるものである。前記第一および第二のパイロットシンボルは送信されてよい。
【００１３】
更なる側面において、プロセッサ読み取り可能な媒体は、１以上のプロセッサによって実行可能な命令を含んでよい。これらの命令は、上記方法の１以上の側面を実行してよい。
【００１４】
追加の側面において、パイロットシンボルを送信するための装置は、低い相互クロス相関を有する第一のシーケンス群の一つの第一のシーケンス、および低い相互クロス相関を有する第二のシーケンス群の少なくとも二つの第二のシーケンスを利用して第一のアンテナ群のための第一のパイロットシンボルを増大させるための手段と、第一のシーケンス群の第三のシース、および第二のシーケンス群の少なくとも二つの第四のシーケンスを利用して、第二のアンテナ群のための第二のパイロットシンボルを増大させるための手段とを具備してなるものである。該装置はまた、前記第一および第二のパイロットシンボルを送信するように構成された１以上の送信機を含んでよい。
【００１５】
本発明の種々の側面および実施形態を、以下で更に詳細に説明する。本願は更に、以下で更に詳細に説明する種々の側面、実施形態および特徴を実施する、方法、プロセッサ、送信機ユニット、受信機ユニット、ベースステーション、端末、システム、並びに他の装置および要素を提供する。
【詳細な説明】
【００１６】
本実施形態の特徴、性質および利点は、同様の参照符号が全体を通して対応するものを特定している図面と共に参照したときに、下記の詳細な記載から更に明らかになるであろう。
【００１７】
図１を参照すると、一実施形態に従う多重アクセス無線通信システムが図示されている。ベースステーション１００は、各々が1以上のアンテナを含む複数のアンテナ群１０２、１０４および１０６を含んでいる。図１においては、各アンテナ群１０２、１０４および１０６について唯一のアンテが示されているが、各アンテナ群について、ベースステーション１００のセクターに対応する一つまたは複数のアンテナが利用されてよい。モバイルステーション１０８は、アンテナ１０４と通信しており、ここでのアンテナ１０４は、順方向リンク１１４上でモバイルステーション１０８へと情報を送信し、且つ逆方向リンク１１２上でモバイルステーション１０８から情報を受信する。モバイルステーション１１０は、アンテナ１０６と通信しており、ここでのアンテナ１０６は順方向リンク１１８上でモバイルステーション１１０へと情報を送信し、且つ逆方向リンク１１６上でモバイルステーション１１０から情報を受信する。
【００１８】
各アンテナ群１０２、１０４および１０６、およびまたはそれらが通信するように設計される領域は、屡々ベースステーションのセクターと称されるこの実施形態において、アンテナ群１０２、１０４および１０６は各々、ベースステーション１００によってカバーされる領域のうちの一つのセクター、複数のセクター１２０，１２２および１２４において、それぞれモバイルステーションと通信するように設計される。
【００１９】
データシンボルの効率的な処理を可能にするために、ベースステーション１００は、相互に異なるものとして同定され得るセクター１０２、１０４および１０６から、パイロットシンボルを送信してよい。一定の側面において、これは、パイロットが同じサブキャリア上をほぼ同時に二つのセクターから一度に送信されるとしても、行われてよい。例えば、これは、各セクターのパイロットシンボルに、当該セルの共通のスクランブリングコードおよびクロス相関の低い第一のコードを乗じることによって行われてよい。この方法において、所定のセクターから送信されたパイロットシンボルについての干渉は、何れか他のセクターに関しては減少される。該セクターのための第一のコードに加えて、クロス相関の低い第二のコード、例えば直交コード、擬直交コード、またはＰＮコードは、与えられたＯＦＤＭシンボルにおいて反復される当該コードの各部分のために使用されてよい。また、クロス相関の低い第二のコードが選択され、所定のセクターから送信されたパイロットシンボルは、同じセルまたは異なるセルのもう一つのセクターから送信されたパイロットシンボルに対して低いクロス相関でコードするようになっている。
【００２０】
ベースステーションは、端末と通信するために使用される固定されたステーションであってよく、アクセススポイント、ノードＢ、または他の幾つかの技術用語で呼ばれてよく、それらの幾つかまたは全ての機能を含んでよい。モバイルステーションもまた、モバイルステーション、ユーザ装置（ＵＥ）、無線通信装置、端末、アクセス端末、または他の幾つかの技術用語で呼ばれてよい。
【００２１】
ここで使用するとき、アンテナ群またはアンテナと通信しているとは、一般に、モバイルステーションへの送信を担当するアンテナ群またはアンテナを意味する。モバイルステーションからの送信の場合、ソフト型または他の型の組み合わせを利用することを含めて、送信を受信するために複数のアンテナ群が利用されてよい。
【００２２】
図１は、異なるセクターのための異なるアンテナ群を有する物理的セクターを描いているが、他のアプローチが利用されてもよい。例えば、各々が周波数空間において当該セルの異なる領域をカバーする複数の固定された「ビーム」を利用することが、物理的セクターの代りに、またはこれと組合せて利用されてよい。このようなアプローチは、本願と同日付けで出願され、その全体が本明細書の一部として援用される、「セルシステムにおける適応可能なセクター化」と題する同時継続の米国特許出願（番号は未だ付与されていない）、代理人番号０５０９１７号、に図示および開示されている。このような場合、異なる「ビーム」には異なるスクランブリングシーケンス、およびここに記載する低クロス相関をもったコードが割当てられる。
【００２３】
上記で述べたように、低クロス相関の第一のコードは、各セクターにおいてパイロットシンボルを増大させるために使用され、該コードは、当該セルの他の各セクターのパイロットシンボルを増大させるために使用される、クロス相関の低いもう一つの第一のコードに対して直交または擬直行である。加えて、クロス相関の低い第二のコードは、各セクターにおける第一のコードにより増大された後に、パイロットシンボルを増大させるために利用される。このクロス相関の低い第二のコード（これは如何なる数の直交もしくは擬直交コードであってもよい）は、第一のコードの長さに亘って、一つのセクターで使用されるクロス相関の低い異なる第二のコードを乗じるために使用される。これは、下記の表１に示されている。
【表１】
2009514447.tif 000003
【００２４】
表１の例において、パイロットは、所定のセルの全てのセクターについて、所定のＯＦＤＭシンボルにおけるトーンｆ０、ｆ２、ｆ４、ｆ６、ｆ８、ｆ１０、ｆ１２、およびｆ１４を占める。セル特異的なスクランブリングコードは、適用されても適用されなくてもよい。幾つかの側面において、このセル特異的なスクランブリングコードは、Ｓ（０）、Ｓ（２）、Ｓ（４）、Ｓ（６）、Ｓ（８）、Ｓ（１０）、Ｓ（１２）、およびＳ（１４）として適用されてよい。これは次いで、セクター１については第一のコードＷ１（０）、Ｗ１（２）、Ｗ１（４）、Ｗ１（６）、Ｗ１（８）、Ｗ１（１０）、Ｗ１（１２）、およびＷ１（１４）を乗じられ、セクター２については第一のコードＷ２（０）、Ｗ２（２）、Ｗ２（４）、Ｗ２（６）、Ｗ２（８）、Ｗ２（１０）、Ｗ２（１２）、およびＷ２（１４）が乗じられ、またセクター３については、第一のコードＷ３（０）、Ｗ３（２）、Ｗ３（４）、Ｗ３（６）、Ｗ３（８）、Ｗ３（１０）、Ｗ３（１２）、およびＷ３（１４）が乗じられる。幾つかの側面において、第一および／または第二のコードＷ１、Ｗ２、およびＷ３は、ウォルシュコードまたは指数コードであってよい。また、各々の第一のコードは、一般に、パイロットシンボルのために利用されるトーンの数よりも少ない長さを有する。例えば、コードＷ１、Ｗ２、およびＷ３は、各第一のコードが、各セクターにおける各ＯＦＤＭＡシンボルについて２回繰返されるように、長さ４を有してよい。即ち、サブキャリアｆ０、ｆ２、ｆ４、およびｆ６のためのパイロットシンボルを増大させるために使用される第一のコード、およびサブキャリアｆ８、ｆ９、ｆ１２、およびｆ１４のためのパイロットシンボルを増大させるために使用される第一のコードは同一である。ユーザのためにトーンｉで受信された信号は、
Ｓ（ｉ）［Ｗ１（ｉ）ＰＮ（ｉ）Ｈ１（ｉ）＋Ｗ２（ｉ）ＰＮ（ｉ）Ｈ２（ｉ）＋Ｗ３（ｉ）ＰＮ（ｉ）Ｈ３（ｉ）］＋ノイズ
で与えられ、ここでのＨ１、Ｈ２およびＨ３は、それぞれセクター１、２、および３からのチャンネルである。
【００２５】
Ｗ１、Ｗ２、およびＷ３は、トーン｛０，２，４，６｝に亘って相互に直交または擬直行であってよく、Ｗ１（ｉ）Ｈ１（ｉ）、Ｗ２（ｉ）Ｈ２（ｉ）、およびＷ３（ｉ）Ｈ３（ｉ）の何れか二つの積は、もし何れかのチャンネルＨ１、Ｈ２、またはＨ３がトーン組｛０，２，４，６，８，１０等｝に亘って有意な変化を示すならば、直交または擬直行でなくてもよい。幾つかの場合には、チャンネル変化のために、Ｗ１（ｉ）Ｈ１（ｉ）、Ｗ２（ｉ）Ｈ２（ｉ）、およびＷ３（ｉ）Ｈ３（ｉ）の何れか二つは、実際に非常に高い相関を提供する。この場合、該二つのセクターのパイロットからの干渉の抑制は存在しないであろう。
【００２６】
このような状況に対処するために、第二のコードＰＮは、第一のコードの長さに亘って一定であってよい。幾つかの側面において、第二のコードは、トーンｆ０、ｆ２、ｆ４、およびｆ６については一つの擬ランダムな値をとり、またトーンｆ８、ｆ１０、ｆ１２、およびｆ１４についてはもう一つの値を取るであろう。このことは、二つのセクターからのＷ１（ｉ）Ｈ１（ｉ）、Ｗ２（ｉ）Ｈ２（ｉ）、およびＷ３（ｉ）Ｈ３（ｉ）が高い相関を有しているとしても、この相関は、使用されたコードＰＮに起因して、且つ異なる時間インスタンスの全体に亘って、周波数の異なる領域については異なる位相をすることを規定する。周波数または時間に亘って外挿が行われるときには、この異なる位相は平均化されて、低い全体の相関を生じるであろう。
【００２７】
第二のコードは第一のコードの長さに亘って一定であってよいが、それらは、同じセクターにおける第一のコードの長さを越えて広がる他のサブキャリアについては変化してよい。第二のコードは、各セクターについて異なり得ることに留意すべきである。或いは、第二のコードは、各セクターについて同じであってもよいが、パイロットシンボルに同じ第二のコードを乗じることがないのを保証するために、異なるパイロットサブキャリアに適用されるときには、各セクターにおいて異なる順序を有する。加えて、該セクターは、同じコードの幾つかまたは異なるコードの幾つかの異なる組合せを利用してよい。
【００２８】
幾つかの場合には、パイロットが異なるセクターにおいて同じ組のトーンを占めなければならないことが望ましいかも知れない。従って、パイロットホッピングが使用されるならば、我々は、それが異なるセクターについて同じであることを確かめなければならない。
【００２９】
図３を参照すると、もう一つの実施形態に従う多重アクセス無線通信システムが図示されている。多重アクセス無線通信システム６００は、複数のセル、例えば６０２，６０４および６０６を含んでいる。図３の実施形態において、各セル６０２，６０４および６０６は、図示しない複数のセクターを含んでよく、これはモバイルステーション６２０と通信中である。上記で述べたように、各セル６０２，６０４および６０６は、そのセクターから送信されたパイロットシンボルを増大させるために、異なるセル特異的スクランブリングコードを利用してよい。各セクターは、次いで、ここに記載した側面の何れかに従って動作してよく、且つここに記載された特徴の何れかを利用してよい。
【００３０】
図４を参照すると、ＭＩＭＯシステム８００における、送信機システム８１０および受信機システム８５０の実施形態のブロック図が示されている。送信機システム８５０においては、多くのデータストリームのためのトラヒックデータが、データソース８１２から送信（ＴＸ）データプロセッサ８１４へと提供される。一実施形態において、各データストリームは、それぞれの送信アンテナによって送信される。ＴＸデータプロセッサ８１４は、コード化されたデータを与えるために当該データストリームについて選択された特定のコード化スキームに基づいて、各データストリームについてのトラヒックデータをフォーマットし、コードし、インターリーブする。
【００３１】
各データストリームのためのコード化されたデータは、ＯＦＤＭ技術を使用して、パイロットデータと共に多重化される。パイロットデータは、典型的には、既知の方法で処理される既知のデータパターンであり、チャンネル応答を予想するために受信機システムにおいて使用されてよい。各データストリームについての多重化されたパイロットデータおよびコード化されたデータは、次いで、当該データストリームのために選択された特定の変調スキーム（例えば、ＢＰＳＫ、ＱＳＰＫ、Ｍ−ＰＳＫ、またはＭ−ＱＡＭ）に基づいて変調され（即ち、シンボルマップされる）、変調されたシンボルを提供する。各データストリームについてのデータレート、コード化、および変調は、プロセッサ８３０によって実行、提供される命令によって決定されてよい。
【００３２】
全てのデータストリームについての変調シンボルは、次いで、該変調シンボル（例えばＯＦＤＭのため）を更に処理し得るＴＸプロセッサ８２０に与えられる。ＴＸプロセッサ８２０は、次いで、ＮＴ変調シンボルストリームを、ＮＴ送信機（ＴＭＴＲ）８２２ａ〜８２２ｔに与える。各送信機８２２は、それぞれのシンボルストリームを受信および処理して、１以上のアナログ信号を与え、更に、該アナログ信号を調整（例えば増幅、フィルタ、およびアップコンバート）して、ＭＩＭＯチャンネルによる送信に適した変調信号を提供する。送信機（ＴＭＴＲ）８２２ａ〜８２２ｔからのＮＴ変調信号は、次いで、ＮＴアンテナ８２４ａ〜８２４ｔからそれぞれ送信される。
【００３３】
受信機システム８５０において、送信された変調信号は、ＮＲアンテナ８５２ａ〜８５２ｒによって受信され、各アンテナ８５２からの受信された信号は、それぞれの受信機（ＲＣＶＲ）８５４に提供される。各受信機８５４は、それぞれの受信された信号を調整（例えばフィルタ、増幅およびダウンコンバート）し、該調整された信号をデジタル化してサンプルを与え、該サンプルを更に処理して対応する「受信された」シンボルストリームを提供する。
【００３４】
ＲＸデータプロセッサ８６０は、次いで、ＮＲの受信機８５４からのＮＲの受信されたシンボルストリームを、特定の受信機処理技術に基づいて受信および処理し、ＮＴの「検出された」シンボルストリームを提供する。ＲＸデータプロセッサ８６０による処理を、以下で更に詳細に説明する。各検出されたシンボルストリームは、対応するデータストリームのための送信された変調シンボルの推定値であるシンボルを含んでいる。ＲＸデータプロセッサ８６０は、次いで、各検出されたシンボルストリームを復調、脱インターリーブ、およびデコード化して、データストリームのためのトラヒックデータを回復する。このＲＸデータプロセッサ８１８による処理は、送信機システム８１０において、ＴＸプロセッサ８２０およびＴＸデータプロセッサ８１４により行われるものに対して相補的である。
【００３５】
ＲＸプロセッサ８６０は、例えばトラヒックデータと共に多重化されたパイロット情報に基づいて、ＮＴの送信アンテナおよびＮＲの受信アンテナ間のチャンネル応答の推定値を誘導してよい。ＲＸプロセッサ８６０は、メモリー（例えばメモリー８７２）に保存された、各パイロットシンボルに付与された周波数サブキャリアおよびシンボル周期を同定するパイロットパターンに従って、パイロットシンボルを同定してよい。加えて、セルスクランブリングコードおよびセクター特異的コード、例えば、クロス相関の低い第二のコードは、適正なデコード化を生じることができるように、受信されたシンボルを多重化するＲＸプロセッサ９６０によって利用され得るようにメモリーに保存されてよい。
【００３６】
ＲＸプロセッサ８６０によって発生されたチャンネル応答推定値は、受信機における空間、空間／時間処理を行い、電力レベルを調整し、変調レートまたはスキームを変更し、または他のアクションを行うために使用されてよい。ＲＸプロセッサ８６０は更に、検出されたシンボルストリームの信号対ノイズ−および干渉比（ＳＮＲ）、および可能な他のチャンネル特性を推定し、これらの量をプロセッサ８７０に提供してよい。ＲＸデータプロセッサ８６０またはプロセッサ８７０は、更に、当該システムのための「動作」ＳＮＲの推定値を誘導してよい。次いで、プロセッサ８７０は、チャンネル状態情報（ＣＳＩ）を提供するが、これは通信リンクおよび／または受信されたデータストリームに関する種々のタイプの情報を含んでいてよい。例えば、このＣＳＩは、動作ＳＮＲのみを含んでいてよい。次いで、ＣＳＩは、ＴＸデータプロセッサ８７８によって処理され、変調器８８０によって変調され、送信機８５４ａ〜８４５ｒによって調整され、送信機システム８１０へと逆送信される。
【００３７】
送信機システム８１０において、受信機システム８５０からの変調された信号は、アンテナ８２４によって受信され、受信機８２２によって調整され、復調器８４０によって復調され、該受信機システムにより報告されたＣＳＩを回復するためにＲＸデータプロセッサ８４２によって処理される。この報告されたＣＳＩは、次いでプロセッサ８３０に与えられ、（１）データレート、並びに該データストリームについて使用されるべきコード化および変調スキームを決定するため、および（２）ＴＸデータプロセッサ８１４およびＴＸプロセッサ８２０のための種々のコントロールを発生するために使用される。或いは、ＣＳＩは、送信のための変調スキームおよび／またはコード化レートを決定するために、他の情報と共に、プロセッサ８７０によって利用されてよい。次いで、これは該情報を使用する送信機に提供されてよく、これは後で受信機への送信を提供するために量子化されてよい。
【００３８】
プロセッサ８３０および８７０は、送信機および受信機システムでの動作をそれぞれ指令する。メモリー８３２および８７２は、それぞれ、プロセッサ８３０および８７０によって使用されるプログラムコードおよびデータのための保存を提供する。メモリー８３２および８７２は、セル特異的なスクランブルシーケンス、並びにクロス相関の低い第一および第二のコードを保存する。
【００３９】
プロセッサ８３０および８７０は、次いで、適切なときに各セクターについてパイロットシンボルを増大させるために、セル特異的なスクランブルシーケンス、並びにクロス相関の低い第一および第二のコードを利用することができる。
【００４０】
受信機においては、ＮＲの受信された信号を処理してＮＴの送信されたシンボルストリームを検出するために、種々の処理技術が使用されてよい。これらの技術を処理する受信機は、二つの主なカテゴリーに分類されてよい；即ち、（ｉ）空間および空間−時間の受信機処理技術（これはまた、等化技術とも称される）；および（ｉｉ）「連続的なゼロ化／等化および干渉解除」受信機処理技術（これはまた、「連続的干渉解消」または「連続的解消」受信機処理技術とも称される）。
【００４１】
図４はＭＩＭＯシステムを述べているが、同じシステムは、複数の送信アンテナ（例えばベースステーション上のもの）が、一つのシンボルストリームを一つのアンテナ装置（たとえばモバイルステーション）へと送信する多重入力単一出力のシステムに適用されてもよい。また、単一入力アンテナシステムへの単一出力も、図４に関して説明したのと同じ方法で利用されてよい。
【００４２】
図５を参照すると、一つの実施形態に従うパイロットシンボル割り当て方法のフローチャートが示されている。複数のパイロットシンボルが発生される；ブロック９００。次いで、該パイロットシンボルのサンプルを増大させるために、該セクターのための第一のコードが利用される；ブロック９０２。次いで、該セクターのための第二のコードが該パイロットシンボルに適用される；ブロック９０４。幾つかの場合、第二のコードは、第一のコードの長さに亘って一定である。他の場合、第二のコードは如何なる長さであることもでき、また概略第一のコードの長さに亘って変化することができる。更に、第一のコードの複数の例は、異なる第二のコードを乗じられてよい。この乗じられたシンボルは、次いで送信される；ブロック９０６。
【００４３】
図６を参照すると、多重セクターベースステーションの部分における側面のブロック図が示されている。ベースステーションは複数のセクターを含んでよいが、ここでは説明の目的のために二つだけとする。しかし、如何なる数のセクターが利用されてもよく、例えば、図１には三つが示されている。各セクターは、第一のコードおよび第二のコード用いてパイロットシンボルを増大させるための手段を含んでいる；それぞれ、ブロック１００２および１００４。これらのコードは相互に異なっており、また両方が同じ長さであってよく、第一のコードによって増大されるパイロットシンボルの各群について、異なる第二のコードが使用される；それぞれ、ブロック１００２および１００６。
【００４４】
ここで述べた技術は、種々の手段により実行されてよい。例えば、これらの技術はハードウエア、ソフトウエア、またはそれらの組み合わせにおいて実行されてよい。ハードウエア実施については、ベースステーションまたはモバイルステーション内の処理ユニットは、１以上のアプリケーション特異的集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、プロセッサ、コントローラ、マイクロコントローラ、マイクロプロセッサ、ここに記載した機能を実行するように設計された他の電子ユニット、またはそれらの組み合わせの中に実装されてよい。
【００４５】
ソフトウエア実施については、ここに記載した技術は、ここに記載した機能を実行するための位置以上のプロセッサによって利用され得る命令（例えば手順、機能等）を用いて実施されてよい。この命令は、メモリーユニットの中に保存されてよく、またプロセッサによって実施されてよい。メモリーユニットはプロセッサ内に実装されてよく、またはプロセッサの外部に実装されてもよいが、何れの場合にも、それは当該技術で知られた種々の手段を介して通信的にプロセッサに結合することができる。
【００４６】
開示された実施形態の先の説明は、当業者が本発明を製造または使用することを可能にするために提供される。これらの実施形態に対する種々の変形は、当業者に容易に明らかであろうし、ここに定義される一般的な原理は、本発明の精神または範囲を逸脱することなく他の実施形態に適用されてよい。従って、本発明は、ここに示された実施形態に限定されるものではなく、ここに開示された原理および新規な特徴に一致した最も広い範囲が与えられるべきである。
【図面の簡単な説明】
【００４７】
【図１】図１は、１実施形態に従う多重アクセス無線通信システムを図示している。
【図２】図２は、１実施形態に従う多重アクセス無線通信システムのためのスペクトルアロケーションスキームを図示している。
【図３】図３は、多重アクセス無線通信システムの外観を図示している。
【図４】図４は、多入力多出力の多重アクセス無線通信システムにおける、送信機システムおよび受信機システムの外観のブロック図を示している。
【図５】図５は、パイロット送信方法の外観のフローチャートを示している。
【図６】図６は、多重セクターベースステーションの一部の外観を示すブロック図である。
【図１】
2009514447.tif 000004
【図２】
2009514447.tif 000005
【図３】
2009514447.tif 000006
【図４】
2009514447.tif 000007
【図５】
2009514447.tif 000008
【図６】
2009514447.tif 000009
【国際調査報告】
2009514447.tif 000010
2009514447.tif 000011